(57)【要約】      （修正有）【課題】生理用ナプキンより良好な吸収力を達成することができ、摩擦によって赤く腫れたり、過敏になったりすることはなく、さわやかさおよび衛生を保つことができる使い捨て生理用ショーツを提供する。【解決手段】使い捨て生理用ショーツは、ショーツ本体１０と、ショーツ本体の中間部位に縫製、固定、または貼付される吸収保持体とを含む。【選択図】図１
0003201791.tif 000002
【実用新案登録請求の範囲】
【請求項１】
ショーツ本体と、
ショーツ本体の中間部位に縫製、固定、または貼付される吸収保持体と、を含み
これにより、女性が普段または月経の開始前に穿くことができ、生理用ナプキンよりさらに良好な吸収力を達成することができる以外に、生理用ナプキンのようにいつでもずれて、股の下または臀部が摩擦によって赤く腫れたり、過敏になったりすることはなく、さわやかさおよび衛生を保つ目的を達成することができる、使い捨て生理用ショーツ。
【請求項２】
ショーツ本体の両側にも吸収保持体を縫製、固定、または貼付して、漏れ防止の効果を達成することができる、請求項１に記載の使い捨て生理用ショーツ。
【請求項３】
通気材質でよく、吸収保持体の上方に設けられる防水層をさらに含むことができる、請求項１または２に記載の使い捨て生理用ショーツ。
【請求項４】
吸収保持体が、生理用ナプキン、吸水粉体を被覆する吸水布、または紙パルプを加えた高吸水性高分子でよく、該吸収保持体の数が１個のみでなくてよい、請求項１または２に記載の使い捨て生理用ショーツ。
【請求項５】
吸水布が不織布でよく、吸水粉体がポリアクリル酸ナトリウムでよい、請求項１または２に記載の使い捨て生理用ショーツ。
【請求項６】
吸水布が不織布でよく、吸水粉体がポリアクリル酸ナトリウムでよい、請求項３に記載の使い捨て生理用ショーツ。
【請求項７】
吸水布が不織布でよく、吸水粉体がポリアクリル酸ナトリウムでよい、請求項４に記載の使い捨て生理用ショーツ。
【請求項８】
ショーツ本体の両側に固定要素を縫製、固定、または貼付して、閉じるには、折りたたみの効果を達成することができる、請求項１または２に記載の使い捨て生理用ショーツ。
【請求項９】
ショーツ本体の両側に固定要素を縫製、固定、または貼付して、閉じるには、折りたたみの効果を達成することができる、請求項３に記載の使い捨て生理用ショーツ。
【請求項１０】
ショーツ本体の両側に固定要素を縫製、固定、または貼付して、閉じるには、折りたたみの効果を達成することができる、請求項４に記載の使い捨て生理用ショーツ。
【考案の詳細な説明】
【技術分野】
【０００１】
本考案は、生理用ナプキンよりさらに良好な吸収力を達成することができる使い捨て生理用ショーツである。
【背景技術】
【０００２】
月経は、女性の最も重要な生理的周期である。しかし、必ずしも規則的であるとは限らず、さらに量が定まっていないために、女性に極めて不便な生活の質をもたらしている。
【０００３】
現在、女性の悩みを解決するのに常用されているものは、一般的な携帯型の生理用ナプキンである。しかし、毎回の月経期の開始時間は固定されていないため、たびたびショーツが赤くなる状況が生じ、あるいは上記の状況を避けるため、女性は予め生理用ナプキンを装着している。しかし、生理用ナプキンはいつでもずれることがあり、股の下または臀部が摩擦によって赤く腫れたり、過敏になったりする。さらに畳まずに公衆トイレの周囲に気ままに捨てると、衛生面で深刻な影響を及ぼす。
【０００４】
如何にして長年にわたる女性の悩みを解決し、使用をより便利に、衛生的にすることができるかが、出願人が解決しようとする問題である。
【考案の概要】
【考案が解決しようとする課題】
【０００５】
既存のナプキンはいつでもずれることがあり、股の下または臀部が摩擦によって赤く腫れたり、過敏になったりする。最終的に開発されたこのような使い捨て生理用ショーツは、使用をより便利に、衛生的にすることができる。
【課題を解決するための手段】
【０００６】
本考案の使い捨て生理用ショーツには以下を含む：
ショーツ本体と、ショーツ本体の中間部位に縫製、固定、または貼付される吸収保持体と、これにより、女性が普段または月経の開始前に穿くことができ、生理用ナプキンよりさらに良好な吸収力を達成することができる以外に、生理用ナプキンのようにいつでもずれて、股の下または臀部が摩擦によって赤く腫れたり、過敏になったりすることはなく、さわやかさおよび衛生を保つ目的を達成することができる。
【図面の簡単な説明】
【０００７】
【図１】本考案の使い捨て生理用ショーツの構造図である
【図２】本考案の使い捨て生理用ショーツの背面の構造図である
【考案を実施するための形態】
【実施例】
【０００８】
図一と図二を参照すると、本考案の使い捨て生理用ショーツには以下を含む。
ショーツ本体１０と、ショーツ本体１０の中間部位に縫製、固定、または貼付される吸収保持体２０と、これにより、女性が普段または月経の開始前に穿くことができ、生理用ナプキンよりさらに良好な吸収力を達成することができる以外に、生理用ナプキンのようにいつでもずれて、股の下または臀部が摩擦によって赤く腫れたり、過敏になったりすることはなく、さわやかさおよび衛生を保つ目的を達成することができる。
【０００９】
ショーツ本体１０の両側にも吸収保持体を縫製、固定、または貼付して、漏れ防止の効果を達成することができる。通気材質でよく、吸収保持体２０の上方に設けられる防水層をさらに含むことができる。
【００１０】
吸収保持体が、生理用ナプキン、吸水粉体を被覆する吸水布、または紙パルプを加えた高吸水性高分子でよく、該吸収保持体２０の数が１個のみでなくてよい。
吸水布が不織布でよく、吸水粉体がポリアクリル酸ナトリウムでよい。吸収保持体２０を取り替えることができる。
【００１１】
ショーツ本体１０の両側に固定要素２１を縫製、固定、または貼付して、閉じるには、折りたたみの効果を達成することができる。
【００１２】
上記の記述は、本考案の好ましい一実施態様である。この実施態様が限定するためにではなく正ツ名の目的のためにのみ記述されること、並びに、多数の変更及び修正が本考案の趣旨及び範囲から逸脱することなく、当業者によって実践されることができることが理解されるべきである。それらが請求される考案またはそれの等価物の有効範囲内に入る限り、すべてのこの種の修正及び変更が含まれることが、意図される。
【符号の説明】
【００１３】
１０    ショーツ本体
２０    吸収保持体
２１    固定要素
【図１】
0003201791.tif 000003
【図２】
0003201791.tif 000004
【手続補正書】
【提出日】平成27年11月4日(2015.11.4)
【手続補正１】
【補正対象書類名】実用新案登録請求の範囲
【補正対象項目名】全文
【補正方法】変更
【補正の内容】
【実用新案登録請求の範囲】
【請求項１】
ショーツ本体と、
ショーツ本体の中間部位に縫製、固定、または貼付される吸収保持体と、を含み
これにより、女性が普段または月経の開始前に穿くことができ、生理用ナプキンよりさらに良好な吸収力を達成することができる以外に、生理用ナプキンのようにいつでもずれて、股の下または臀部が摩擦によって赤く腫れたり、過敏になったりすることはなく、さわやかさおよび衛生を保つ目的を達成することができる、使い捨て生理用ショーツ。
【請求項２】
ショーツ本体の両側にも前記吸収保持体を縫製、固定、または貼付して、漏れ防止の効果を達成することができる、請求項１に記載の使い捨て生理用ショーツ。
【請求項３】
前記吸収保持体の上方に設けられる、通気材質からなる防水層を、さらに含むことができる、請求項１または２に記載の使い捨て生理用ショーツ。
【請求項４】
前記吸収保持体が、生理用ナプキン、吸水粉体を被覆する吸水布、または紙パルプを加えた高吸水性高分子であり、該吸収保持体の数が１個または複数個である、請求項１または２に記載の使い捨て生理用ショーツ。
【請求項５】
前記吸水布が不織布であり、前記吸水粉体がポリアクリル酸ナトリウムである、請求項４に記載の使い捨て生理用ショーツ。
【請求項６】
ショーツ本体の両側に、前記吸収保持体を固定するための固定要素を縫製、固定、または貼付した、請求項１または２に記載の使い捨て生理用ショーツ。
【請求項７】
ショーツ本体の両側に、前記吸収保持体を固定するための固定要素を縫製、固定、または貼付した、請求項３に記載の使い捨て生理用ショーツ。
【請求項８】
ショーツ本体の両側に、前記吸収保持体を固定するための固定要素を縫製、固定、または貼付した、請求項４に記載の使い捨て生理用ショーツ。